(57)【要約】【課題】本発明は複合ロックを開示した。【解決手段】ロック主体を含み、前記ロック主体の中にはスライド溝が設置され、前記スライド溝の中にはスライドできる施錠ヘッドが設置され、前記施錠ヘッドと前記スライド溝の底壁との間には第一ばねが弾性を持つように設置され、前記施錠ヘッドの中にはロックラックが設置され、前記ロック主体の中には前記施錠ヘッドを挿入することができるロック溝が設置され、本発明は構造が簡単で、操作が便利で、メンテナンスが便利であり、当該ロックは一次ロック装置と二次ロック装置を有し、複合型の二重のロックを行うことができ、しかもアンロック方式が比較的に複雑であり、安全性が比較的に高く、そのため当該設備は高い使用価値と普及価値を有する。【選択図】図１
2020176498.tif 000002
【特許請求の範囲】
【請求項１】
正面視で、本発明の複合ロックは、ロック主体を含み、前記ロック主体の中にはスライド溝が設置され、前記スライド溝の中にはスライドできる施錠ヘッドが設置され、前記施錠ヘッドと前記スライド溝の底壁との間には第一ばねが弾性を持つように設置され、前記施錠ヘッドの中にはロックラックが設置され、前記ロック主体の中には前記施錠ヘッドを挿入することができるロック溝が設置され、前記ロック溝のうち前記スライド溝に近接している片側の内壁の中には初次ロック溝が設置され、前記初次ロック溝の中には前記施錠ヘッドをロックできる一次ロック装置が設置され、前記初次ロック溝の底壁の中には前記初次ロック溝に連通している二次ロック溝が設置され、前記二次ロック溝の中には前記一次ロック装置をロックする二次ロック装置が設置され、前記スライド溝の右側壁の中にはリミットチャンバが設置さえれ、前記リミットチャンバの中には前記二次ロック装置を制限するリミット装置が設置され、前記初次ロック溝の底壁の中にはベルトチャンバが設置され、前記ベルトチャンバの中には当該設備を始動できるアンロック装置が設置され、前記ベルトチャンバの頂壁の中には正方向チャンバが設置され、前記ベルトチャンバの底壁の中には逆方向チャンバが設置され、前記逆方向チャンバの中には動力装置が設置され、前記動力装置は前記逆方向チャンバの中に設置されたロックシリンダーを含み、前記ロックシリンダーの外壁には前記逆方向チャンバの中に位置している下ギヤが設置され、前記ロックシリンダーの外壁には前記正方向チャンバの中に位置している上ギヤが設置され、前記動力装置は前記アンロック装置により前記二次ロック装置と前記一次ロック装置とを次々とアンロックでき、更に当該錠前をアンロックできることを特徴とする複合ロック。
【請求項２】
前記一次ロック装置は前記初次ロック溝の中にスライドできるように設置されたロックブロックを含み、前記ロックブロックと前記初次ロック溝の左壁との間には第二ばねが弾性を持つように設置され、前記ロックブロックの中には連通孔が設置され、前記二次ロック装置は前記二次ロック溝の中にスライドできるように設置されたロックロッドを含み、前記ロックロッドが前記連通孔と連結でき、前記ロックロッドと前記二次ロック溝の底壁との間には第三ばねが弾性を持つように設置され、前記一次ロック装置が前記施錠ヘッドをロックでき、前記二次ロック装置が前記一次ロック装置をロックでき、ロックの安全性を保証することを特徴とする請求項１に記載の複合ロック。
【請求項３】
前記リミット装置は前記リミットチャンバの中に設置された前ギヤを含み、前記主軸の後端には前記ロックラックと噛み合っている後ギヤが設置され、前記主軸の前端には前ギヤが設置され、前記リミットチャンバの中には伝動軸が設置され、前記伝動軸の後端には前記前ギヤと噛み合っている従動ギヤが設置され、前記伝動軸の前端には左プーリが設置され、前記リミットチャンバの中には従動軸が設置され、前記従動軸の前端には右プーリが設置され、前記右プーリと前記左プーリとの間には第一ベルトが伝動できるように設置され、前記従動軸の後端にはセクタギヤが設置され、前記リミットチャンバの中には前記ロックロッドと引っ掛かるように連結されることができる引っ掛かりブロックがスライドできるように設置され、前記引っ掛かりブロックの頂壁には前記セクタギヤと噛み合うことができるスライドラックが設置され、前記引っ掛かりブロックと前記リミットチャンバの左壁との間には第四ばねが弾性を持つように設置され、前記リミット装置は当該ロックがアンロック状態にある時の前記ロックロッドの位置を固定できることを特徴とする請求項１に記載の複合ロック。
【請求項４】
前記アンロック装置は前記ベルトチャンバの中に設置された正方向軸を含み、前記正方向軸の頂端には前記正方向チャンバの中に位置しており、且つ前記上ギヤと噛み合っている正片方向ギヤが設置され、前記正方向軸の底端には主動プーリが設置され、前記ベルトチャンバの頂壁の中には上チャンバが設置され、前記ベルトチャンバの底壁の中には下チャンバが設置され、前記ベルトチャンバの中には上軸が設置され、前記上軸の底端には従動プーリが設置され、前記従動プーリと前記主動プーリとの間には第二ベルトが伝動できるように設置され、前記上軸の頂端には前記上チャンバの中に位置している上リールが設置され、前記上リールと前記ロックロッドとの間は第一縄により連結され、前記ベルトチャンバの中には逆方向軸が設置され、前記逆方向軸の底端には前記逆方向チャンバの中に位置しており、且つ前記下ギヤと噛み合っている逆片方向ギヤが設置され、前記逆方向軸の頂端には正プーリが設置され、前記ベルトチャンバの中には下軸が設置され、前記下軸の頂端には副プーリが設置され、前記副プーリと前記正プーリとの間には第三ベルトが伝動できるように設置され、前記下軸の底端には前記下チャンバの中に位置している下リールが設置され、前記下リールと前記ロックブロックとの間は第二縄により連結され、前記アンロック装置は前記二次ロック装置と前記一次ロック装置とを次々とアンロックでき、当該錠前をアンロックできることを特徴とする請求項１に記載の複合ロック。
【発明の詳細な説明】
【技術分野】
【０００１】
本発明はロック分野を取り上げて、具体的には複合ロックである。
【背景技術】
【０００２】
生活で防犯やプライバシーを保護するため、ロックはなくてはならないものであり、しかし、現有のロックのロック方式が単一で、構造が簡単すぎ、他人に簡単な道具で解錠されやすく、安全性が低く、そのため、本発明は複合ロック機構の複合ロックを設計することを目的とする。
【先行技術文献】
【特許文献】
【０００３】
【特許文献１】中国特許出願公開第１０１７１３２６５号明細書
【発明の概要】
【発明が解決しようとする課題】
【０００４】
本発明は複合ロックを提供し、従来技術における上記欠点を解消することを目的とする。
【課題を解決するための手段】
【０００５】
本発明の複合ロックは、ロック主体を含み、前記ロック主体の中にはスライド溝が設置され、前記スライド溝の中にはスライドできる施錠ヘッドが設置され、前記施錠ヘッドと前記スライド溝の底壁との間には第一ばねが弾性を持つように設置され、前記施錠ヘッドの中にはロックラックが設置され、前記ロック主体の中には前記施錠ヘッドを挿入することができるロック溝が設置され、前記ロック溝のうち前記スライド溝に近接している片側の内壁の中には初次ロック溝が設置され、前記初次ロック溝の中には前記施錠ヘッドをロックできる一次ロック装置が設置され、前記初次ロック溝の底壁の中には前記初次ロック溝に連通している二次ロック溝が設置され、前記二次ロック溝の中には前記一次ロック装置をロックする二次ロック装置が設置され、前記スライド溝の右側壁の中にはリミットチャンバが設置さえれ、前記リミットチャンバの中には前記二次ロック装置を制限するリミット装置が設置され、前記初次ロック溝の底壁の中にはベルトチャンバが設置され、前記ベルトチャンバの中には当該設備を始動できるアンロック装置が設置され、前記ベルトチャンバの頂壁の中には正方向チャンバが設置され、前記ベルトチャンバの底壁の中には逆方向チャンバが設置され、前記逆方向チャンバの中には動力装置が設置され、前記動力装置は前記逆方向チャンバの中に設置されたロックシリンダーを含み、前記ロックシリンダーの外壁には前記逆方向チャンバの中に位置している下ギヤが設置され、前記ロックシリンダーの外壁には前記正方向チャンバの中に位置している上ギヤが設置され、前記動力装置は前記アンロック装置により前記二次ロック装置と前記一次ロック装置とを次々とアンロックでき、更に当該錠前をアンロックできる。
【０００６】
好ましくは、前記一次ロック装置は前記初次ロック溝の中にスライドできるように設置されたロックブロックを含み、前記ロックブロックと前記初次ロック溝の左壁との間には第二ばねが弾性を持つように設置され、前記ロックブロックの中には連通孔が設置され、前記二次ロック装置は前記二次ロック溝の中にスライドできるように設置されたロックロッドを含み、前記ロックロッドが前記連通孔と連結でき、前記ロックロッドと前記二次ロック溝の底壁との間には第三ばねが弾性を持つように設置され、前記一次ロック装置が前記施錠ヘッドをロックでき、前記二次ロック装置が前記一次ロック装置をロックでき、ロックの安全性を保証する。
【０００７】
好ましくは、前記リミット装置は前記リミットチャンバの中に設置された前ギヤを含み、前記主軸の後端には前記ロックラックと噛み合っている後ギヤが設置され、前記主軸の前端には前ギヤが設置され、前記リミットチャンバの中には伝動軸が設置され、前記伝動軸の後端には前記前ギヤと噛み合っている従動ギヤが設置され、前記伝動軸の前端には左プーリが設置され、前記リミットチャンバの中には従動軸が設置され、前記従動軸の前端には右プーリが設置され、前記右プーリと前記左プーリとの間には第一ベルトが伝動できるように設置され、前記従動軸の後端にはセクタギヤが設置され、前記リミットチャンバの中には前記ロックロッドと引っ掛かるように連結されることができる引っ掛かりブロックがスライドできるように設置され、前記引っ掛かりブロックの頂壁には前記セクタギヤと噛み合うことができるスライドラックが設置され、前記引っ掛かりブロックと前記リミットチャンバの左壁との間には第四ばねが弾性を持つように設置され、前記リミット装置は当該ロックがアンロック状態にある時の前記ロックロッドの位置を固定できる。
【０００８】
好ましくは、前記アンロック装置は前記ベルトチャンバの中に設置された正方向軸を含み、前記正方向軸の頂端には前記正方向チャンバの中に位置しており、且つ前記上ギヤと噛み合っている正片方向ギヤが設置され、前記正方向軸の底端には主動プーリが設置され、前記ベルトチャンバの頂壁の中には上チャンバが設置され、前記ベルトチャンバの底壁の中には下チャンバが設置され、前記ベルトチャンバの中には上軸が設置され、前記上軸の底端には従動プーリが設置され、前記従動プーリと前記主動プーリとの間には第二ベルトが伝動できるように設置され、前記上軸の頂端には前記上チャンバの中に位置している上リールが設置され、前記上リールと前記ロックロッドとの間は第一縄により連結され、前記ベルトチャンバの中には逆方向軸が設置され、前記逆方向軸の底端には前記逆方向チャンバの中に位置しており、且つ前記下ギヤと噛み合っている逆片方向ギヤが設置され、前記逆方向軸の頂端には正プーリが設置され、前記ベルトチャンバの中には下軸が設置され、前記下軸の頂端には副プーリが設置され、前記副プーリと前記正プーリとの間には第三ベルトが伝動できるように設置され、前記下軸の底端には前記下チャンバの中に位置している下リールが設置され、前記下リールと前記ロックブロックとの間は第二縄により連結され、前記アンロック装置は前記二次ロック装置と前記一次ロック装置とを次々とアンロックでき、当該錠前をアンロックできる。
【発明の効果】
【０００９】
本発明の有益効果は：本発明は構造が簡単で、操作が便利で、メンテナンスが便利であり、当該ロックは一次ロック装置と二次ロック装置を有し、複合型の二重のロックを行うことができ、しかもアンロック方式が比較的に複雑であり、安全性が比較的に高く、そのため当該設備は高い使用価値と普及価値を有する。  
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の複合ロックのアンロックする時の全体構成模式図
【図２】図２は本発明の複合ロックのロックする時の全体構成模式図
【図３】図３は図１のＡの構成模式図
【発明を実施するための形態】
【００１２】
図１〜３に示すように、本発明の複合ロックは、ロック主体１３を含み、前記ロック主体１３の中にはスライド溝１４が設置され、前記スライド溝１４の中にはスライドできる施錠ヘッド１１が設置され、前記施錠ヘッド１１と前記スライド溝１４の底壁との間には第一ばね１５が弾性を持つように設置され、前記施錠ヘッド１１の中にはロックラック１２が設置され、前記ロック主体１３の中には前記施錠ヘッド１１を挿入することができるロック溝１６が設置され、前記ロック溝１６のうち前記スライド溝１４に近接している片側の内壁の中には初次ロック溝６０が設置され、前記初次ロック溝６０の中には前記施錠ヘッド１１をロックできる一次ロック装置１００が設置され、前記初次ロック溝６０の底壁の中には前記初次ロック溝６０に連通している二次ロック溝２２が設置され、前記二次ロック溝２２の中には前記一次ロック装置１００をロックする二次ロック装置２００が設置され、前記スライド溝１４の右側壁の中にはリミットチャンバ３９が設置さえれ、前記リミットチャンバ３９の中には前記二次ロック装置２００を制限するリミット装置３００が設置され、前記初次ロック溝６０の底壁の中にはベルトチャンバ３０が設置され、前記ベルトチャンバ３０の中には当該設備を始動できるアンロック装置４００が設置され、前記ベルトチャンバ３０の頂壁の中には正方向チャンバ５７が設置され、前記ベルトチャンバ３０の底壁の中には逆方向チャンバ５３が設置され、前記逆方向チャンバ５３の中には動力装置５００が設置され、前記動力装置５００は前記逆方向チャンバ５３の中に設置されたロックシリンダー２４を含み、前記ロックシリンダー２４の外壁には前記逆方向チャンバ５３の中に位置している下ギヤ２５が設置され、前記ロックシリンダー２４の外壁には前記正方向チャンバ５７の中に位置している上ギヤ２３が設置され、前記動力装置５００は前記アンロック装置４００により前記二次ロック装置２００と前記一次ロック装置１００とを次々とアンロックでき、更に当該錠前をアンロックできる。
【００１３】
有益的には、前記一次ロック装置１００は前記初次ロック溝６０の中にスライドできるように設置されたロックブロック１７を含み、前記ロックブロック１７と前記初次ロック溝６０の左壁との間には第二ばね６１が弾性を持つように設置され、前記ロックブロック１７の中には連通孔１８が設置され、前記二次ロック装置２００は前記二次ロック溝２２の中にスライドできるように設置されたロックロッド１９を含み、前記ロックロッド１９が前記連通孔１８と連結でき、前記ロックロッド１９と前記二次ロック溝２２の底壁との間には第三ばね２１が弾性を持つように設置され、前記一次ロック装置１００が前記施錠ヘッド１１をロックでき、前記二次ロック装置２００が前記一次ロック装置１００をロックでき、ロックの安全性を保証する。
【００１４】
有益的には、前記リミット装置３００は前記リミットチャンバ３９の中に設置された前ギヤ４１を含み、前記主軸４２の後端には前記ロックラック１２と噛み合っている後ギヤ４０が設置され、前記主軸４２の前端には前ギヤ４１が設置され、前記リミットチャンバ３９の中には伝動軸４５が設置され、前記伝動軸４５の後端には前記前ギヤ４１と噛み合っている従動ギヤ４３が設置され、前記伝動軸４５の前端には左プーリ４４が設置され、前記リミットチャンバ３９の中には従動軸４９が設置され、前記従動軸４９の前端には右プーリ４８が設置され、前記右プーリ４８と前記左プーリ４４との間には第一ベルト４６が伝動できるように設置され、前記従動軸４９の後端にはセクタギヤ４７が設置され、前記リミットチャンバ３９の中には前記ロックロッド１９と引っ掛かるように連結されることができる引っ掛かりブロック２０がスライドできるように設置され、前記引っ掛かりブロック２０の頂壁には前記セクタギヤ４７と噛み合うことができるスライドラック５０が設置され、前記引っ掛かりブロック２０と前記リミットチャンバ３９の左壁との間には第四ばね３８が弾性を持つように設置され、前記リミット装置３００は当該ロックがアンロック状態にある時の前記ロックロッド１９の位置を固定できる。
【００１５】
有益的には、前記アンロック装置４００は前記ベルトチャンバ３０の中に設置された正方向軸５６を含み、前記正方向軸５６の頂端には前記正方向チャンバ５７の中に位置しており、且つ前記上ギヤ２３と噛み合っている正片方向ギヤ５８が設置され、前記正方向軸５６の底端には主動プーリ５５が設置され、前記ベルトチャンバ３０の頂壁の中には上チャンバ５１が設置され、前記ベルトチャンバ３０の底壁の中には下チャンバ５２が設置され、前記ベルトチャンバ３０の中には上軸３５が設置され、前記上軸３５の底端には従動プーリ３４が設置され、前記従動プーリ３４と前記主動プーリ５５との間には第二ベルト５４が伝動できるように設置され、前記上軸３５の頂端には前記上チャンバ５１の中に位置している上リール３６が設置され、前記上リール３６と前記ロックロッド１９との間は第一縄３７により連結され、前記ベルトチャンバ３０の中には逆方向軸２７が設置され、前記逆方向軸２７の底端には前記逆方向チャンバ５３の中に位置しており、且つ前記下ギヤ２５と噛み合っている逆片方向ギヤ２６が設置され、前記逆方向軸２７の頂端には正プーリ２８が設置され、前記ベルトチャンバ３０の中には下軸３２が設置され、前記下軸３２の頂端には副プーリ３３が設置され、前記副プーリ３３と前記正プーリ２８との間には第三ベルト２９が伝動できるように設置され、前記下軸３２の底端には前記下チャンバ５２の中に位置している下リール３１が設置され、前記下リール３１と前記ロックブロック１７との間は第二縄６２により連結され、前記アンロック装置４００は前記二次ロック装置２００と前記一次ロック装置１００とを次々とアンロックでき、当該錠前をアンロックできる。
【００１６】
錠前をロックする時、使用者は施錠ヘッド１１を押して下方へスライドさせ、更にロックラック１２と、後ギヤ４０と、主軸４２と、前ギヤ４１と、従動ギヤ４３と、伝動軸４５と、左プーリ４４と、右プーリ４８と、従動軸４９とよりセクタギヤ４７を連動させて回転させ、施錠ヘッド１１とロックブロック１７とが引っ掛かる時、セクタギヤ４７がスライドラック５０と噛み合い、セクタギヤ４７はスライドラック５０により引っ掛かりブロック２０を連動させて左方へスライドさせ、更に引っ掛かりブロック２０がロックロッド１９との接触から離脱し、ロックロッド１９が上方へスライドし、且つ連通孔１８を通してロックブロック１７と連結し、これにより当該錠前をロックする。
【００１７】
錠前をアンロックする時、使用者は鍵をロックシリンダー２４の中に挿して且つ正方向へ回転させ、更に上ギヤ２３と、正片方向ギヤ５８と、正方向軸５６と、主動プーリ５５と、従動プーリ３４と、上軸３５と、上リール３６と、第一縄３７とによりロックロッド１９を連動させて下方へスライドさせ、更にロックロッド１９が引っ掛かりブロック２０と引っ掛かり、ロックシリンダー２４が正方向へ九十度回転してから逆方向へ回転し始め、更に下ギヤ２５と、逆片方向ギヤ２６と、逆方向軸２７と、正プーリ２８と、副プーリ３３と、下軸３２と、下リール３１と、第二縄６２とによりロックブロック１７を連動させて左方へスライドさせ、ロックシリンダー２４が逆方向へ九十度回転した後、ロックブロック１７が施錠ヘッド１１との接触から完全に離脱し、施錠ヘッド１１が第一ばね１５の弾性エネルギーの作用のもとで上方へスライドし、当該錠前をアンロックする。
【００１８】
本発明の有益効果は：本発明は構造が簡単で、操作が便利で、メンテナンスが便利であり、当該ロックは一次ロック装置と二次ロック装置を有し、複合型の二重のロックを行うことができ、しかもアンロック方式が比較的に複雑であり、安全性が比較的に高く、そのため当該設備は高い使用価値と普及価値を有する。  
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020176498.tif 000003
【図２】
2020176498.tif 000004
【図３】
2020176498.tif 000005
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
正面視で、本発明の複合ロックは、ロック主体を含み、前記ロック主体の中にはスライド溝が設置され、前記スライド溝の中にはスライドできる施錠ヘッドが設置され、前記施錠ヘッドと前記スライド溝の底壁との間には第一ばねが設置され、前記施錠ヘッドの中にはロックラックが設置され、前記ロック主体の中には前記施錠ヘッドを挿入することができるロック溝が設置され、前記ロック溝のうち前記スライド溝に近接している片側の内壁の中には初次ロック溝が設置され、前記初次ロック溝の中には前記施錠ヘッドをロックできる一次ロック装置が設置され、前記初次ロック溝の底壁の中には前記初次ロック溝に連通している二次ロック溝が設置され、前記二次ロック溝の中には前記一次ロック装置をロックする二次ロック装置が設置され、前記スライド溝の右側壁の中にはリミットチャンバが設置され、前記リミットチャンバの中には前記二次ロック装置を制限するリミット装置が設置され、前記初次ロック溝の底壁の中にはベルトチャンバが設置され、前記ベルトチャンバの中にはアンロック装置が設置され、前記ベルトチャンバの頂壁の中には正方向チャンバが設置され、前記ベルトチャンバの底壁の中には逆方向チャンバが設置され、前記逆方向チャンバの中には動力装置が設置され、前記動力装置は前記逆方向チャンバの中に設置されたロックシリンダーを含み、前記ロックシリンダーの外壁には前記逆方向チャンバの中に位置している下ギヤが設置され、前記ロックシリンダーの外壁には前記正方向チャンバの中に位置している上ギヤが設置され、前記動力装置は前記アンロック装置により前記二次ロック装置と前記一次ロック装置とを次々とアンロックでき、更に当該錠前をアンロックできることを特徴とする複合ロック。
【請求項２】
前記一次ロック装置は前記初次ロック溝の中にスライドできるように設置されたロックブロックを含み、前記ロックブロックと前記初次ロック溝の左壁との間には第二ばねが設置され、前記ロックブロックの中には連通孔が設置され、前記二次ロック装置は前記二次ロック溝の中にスライドできるように設置されたロックロッドを含み、前記ロックロッドが前記連通孔と連結でき、前記ロックロッドと前記二次ロック溝の底壁との間には第三ばねが設置され、前記一次ロック装置が前記施錠ヘッドをロックでき、前記二次ロック装置が前記一次ロック装置をロックでき、ロックの安全性を保証することを特徴とする請求項１に記載の複合ロック。
【請求項３】
前記リミット装置は前記リミットチャンバの中に設置された前ギヤを含み、主軸の後端には前記ロックラックと噛み合っている後ギヤが設置され、前記主軸の前端には前ギヤが設置され、前記リミットチャンバの中には伝動軸が設置され、前記伝動軸の後端には前記前ギヤと噛み合っている従動ギヤが設置され、前記伝動軸の前端には左プーリが設置され、前記リミットチャンバの中には従動軸が設置され、前記従動軸の前端には右プーリが設置され、前記右プーリと前記左プーリとの間には第一ベルトが伝動できるように設置され、前記従動軸の後端にはセクタギヤが設置され、前記リミットチャンバの中には前記ロックロッドと引っ掛かるように連結されることができる引っ掛かりブロックがスライドできるように設置され、前記引っ掛かりブロックの頂壁には前記セクタギヤと噛み合うことができるスライドラックが設置され、前記引っ掛かりブロックと前記リミットチャンバの左壁との間には第四ばねが設置され、前記リミット装置は当該ロックがアンロック状態にある時の前記ロックロッドの位置を固定できることを特徴とする請求項２に記載の複合ロック。
【請求項４】
前記アンロック装置は前記ベルトチャンバの中に設置された正方向軸を含み、前記正方向軸の頂端には前記正方向チャンバの中に位置しており、且つ前記上ギヤと噛み合っている正片方向ギヤが設置され、前記正方向軸の底端には主動プーリが設置され、前記ベルトチャンバの頂壁の中には上チャンバが設置され、前記ベルトチャンバの底壁の中には下チャンバが設置され、前記ベルトチャンバの中には上軸が設置され、前記上軸の底端には従動プーリが設置され、前記従動プーリと前記主動プーリとの間には第二ベルトが伝動できるように設置され、前記上軸の頂端には前記上チャンバの中に位置している上リールが設置され、前記上リールと前記ロックロッドとの間は第一縄により連結され、前記ベルトチャンバの中には逆方向軸が設置され、前記逆方向軸の底端には前記逆方向チャンバの中に位置しており、且つ前記下ギヤと噛み合っている逆片方向ギヤが設置され、前記逆方向軸の頂端には正プーリが設置され、前記ベルトチャンバの中には下軸が設置され、前記下軸の頂端には副プーリが設置され、前記副プーリと前記正プーリとの間には第三ベルトが伝動できるように設置され、前記下軸の底端には前記下チャンバの中に位置している下リールが設置され、前記下リールと前記ロックブロックとの間は第二縄により連結され、前記アンロック装置は前記二次ロック装置と前記一次ロック装置とを次々とアンロックでき、当該錠前をアンロックできることを特徴とする請求項３に記載の複合ロック。
【手続補正２】
【補正対象書類名】明細書
【補正対象項目名】全文
【補正方法】変更
【補正の内容】
【発明の詳細な説明】
【技術分野】
【０００１】
本発明はロック分野を取り上げて、具体的には複合ロックである。
【背景技術】
【０００２】
生活で防犯やプライバシーを保護するため、ロックはなくてはならないものであり、しかし、現有のロックのロック方式が単一で、構造が簡単すぎ、他人に簡単な道具で解錠されやすく、安全性が低く、そのため、本発明は複合ロック機構の複合ロックを設計することを目的とする。
【先行技術文献】
【特許文献】
【０００３】
【特許文献１】中国特許出願公開第１０１７１３２６５号明細書
【発明の概要】
【発明が解決しようとする課題】
【０００４】
本発明は複合ロックを提供し、従来技術における上記欠点を解消することを目的とする。
【課題を解決するための手段】
【０００５】
本発明の複合ロックは、ロック主体を含み、前記ロック主体の中にはスライド溝が設置され、前記スライド溝の中にはスライドできる施錠ヘッドが設置され、前記施錠ヘッドと前記スライド溝の底壁との間には第一ばねが設置され、前記施錠ヘッドの中にはロックラックが設置され、前記ロック主体の中には前記施錠ヘッドを挿入することができるロック溝が設置され、前記ロック溝のうち前記スライド溝に近接している片側の内壁の中には初次ロック溝が設置され、前記初次ロック溝の中には前記施錠ヘッドをロックできる一次ロック装置が設置され、前記初次ロック溝の底壁の中には前記初次ロック溝に連通している二次ロック溝が設置され、前記二次ロック溝の中には前記一次ロック装置をロックする二次ロック装置が設置され、前記スライド溝の右側壁の中にはリミットチャンバが設置され、前記リミットチャンバの中には前記二次ロック装置を制限するリミット装置が設置され、前記初次ロック溝の底壁の中にはベルトチャンバが設置され、前記ベルトチャンバの中にはアンロック装置が設置され、前記ベルトチャンバの頂壁の中には正方向チャンバが設置され、前記ベルトチャンバの底壁の中には逆方向チャンバが設置され、前記逆方向チャンバの中には動力装置が設置され、前記動力装置は前記逆方向チャンバの中に設置されたロックシリンダーを含み、前記ロックシリンダーの外壁には前記逆方向チャンバの中に位置している下ギヤが設置され、前記ロックシリンダーの外壁には前記正方向チャンバの中に位置している上ギヤが設置され、前記動力装置は前記アンロック装置により前記二次ロック装置と前記一次ロック装置とを次々とアンロックでき、更に当該錠前をアンロックできる。
【０００６】
好ましくは、前記一次ロック装置は前記初次ロック溝の中にスライドできるように設置されたロックブロックを含み、前記ロックブロックと前記初次ロック溝の左壁との間には第二ばねが設置され、前記ロックブロックの中には連通孔が設置され、前記二次ロック装置は前記二次ロック溝の中にスライドできるように設置されたロックロッドを含み、前記ロックロッドが前記連通孔と連結でき、前記ロックロッドと前記二次ロック溝の底壁との間には第三ばねが設置され、前記一次ロック装置が前記施錠ヘッドをロックでき、前記二次ロック装置が前記一次ロック装置をロックでき、ロックの安全性を保証する。
【０００７】
好ましくは、前記リミット装置は前記リミットチャンバの中に設置された前ギヤを含み、主軸の後端には前記ロックラックと噛み合っている後ギヤが設置され、前記主軸の前端には前ギヤが設置され、前記リミットチャンバの中には伝動軸が設置され、前記伝動軸の後端には前記前ギヤと噛み合っている従動ギヤが設置され、前記伝動軸の前端には左プーリが設置され、前記リミットチャンバの中には従動軸が設置され、前記従動軸の前端には右プーリが設置され、前記右プーリと前記左プーリとの間には第一ベルトが伝動できるように設置され、前記従動軸の後端にはセクタギヤが設置され、前記リミットチャンバの中には前記ロックロッドと引っ掛かるように連結されることができる引っ掛かりブロックがスライドできるように設置され、前記引っ掛かりブロックの頂壁には前記セクタギヤと噛み合うことができるスライドラックが設置され、前記引っ掛かりブロックと前記リミットチャンバの左壁との間には第四ばねが設置され、前記リミット装置は当該ロックがアンロック状態にある時の前記ロックロッドの位置を固定できる。
【０００８】
好ましくは、前記アンロック装置は前記ベルトチャンバの中に設置された正方向軸を含み、前記正方向軸の頂端には前記正方向チャンバの中に位置しており、且つ前記上ギヤと噛み合っている正片方向ギヤが設置され、前記正方向軸の底端には主動プーリが設置され、前記ベルトチャンバの頂壁の中には上チャンバが設置され、前記ベルトチャンバの底壁の中には下チャンバが設置され、前記ベルトチャンバの中には上軸が設置され、前記上軸の底端には従動プーリが設置され、前記従動プーリと前記主動プーリとの間には第二ベルトが伝動できるように設置され、前記上軸の頂端には前記上チャンバの中に位置している上リールが設置され、前記上リールと前記ロックロッドとの間は第一縄により連結され、前記ベルトチャンバの中には逆方向軸が設置され、前記逆方向軸の底端には前記逆方向チャンバの中に位置しており、且つ前記下ギヤと噛み合っている逆片方向ギヤが設置され、前記逆方向軸の頂端には正プーリが設置され、前記ベルトチャンバの中には下軸が設置され、前記下軸の頂端には副プーリが設置され、前記副プーリと前記正プーリとの間には第三ベルトが伝動できるように設置され、前記下軸の底端には前記下チャンバの中に位置している下リールが設置され、前記下リールと前記ロックブロックとの間は第二縄により連結され、前記アンロック装置は前記二次ロック装置と前記一次ロック装置とを次々とアンロックでき、当該錠前をアンロックできる。
【発明の効果】
【０００９】
本発明の有益効果は：本発明は構造が簡単で、操作が便利で、メンテナンスが便利であり、当該ロックは一次ロック装置と二次ロック装置を有し、複合型の二重のロックを行うことができ、しかもアンロック方式が比較的に複雑であり、安全性が比較的に高く、そのため当該設備は高い使用価値と普及価値を有する。  
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の複合ロックのアンロックする時の全体構成模式図
【図２】図２は本発明の複合ロックのロックする時の全体構成模式図
【図３】図３は図１のＡの構成模式図
【発明を実施するための形態】
【００１２】
図１〜３に示すように、本発明の複合ロックは、ロック主体１３を含み、前記ロック主体１３の中にはスライド溝１４が設置され、前記スライド溝１４の中にはスライドできる施錠ヘッド１１が設置され、前記施錠ヘッド１１と前記スライド溝１４の底壁との間には第一ばね１５が設置され、前記施錠ヘッド１１の中にはロックラック１２が設置され、前記ロック主体１３の中には前記施錠ヘッド１１を挿入することができるロック溝１６が設置され、前記ロック溝１６のうち前記スライド溝１４に近接している片側の内壁の中には初次ロック溝６０が設置され、前記初次ロック溝６０の中には前記施錠ヘッド１１をロックできる一次ロック装置１００が設置され、前記初次ロック溝６０の底壁の中には前記初次ロック溝６０に連通している二次ロック溝２２が設置され、前記二次ロック溝２２の中には前記一次ロック装置１００をロックする二次ロック装置２００が設置され、前記スライド溝１４の右側壁の中にはリミットチャンバ３９が設置され、前記リミットチャンバ３９の中には前記二次ロック装置２００を制限するリミット装置３００が設置され、前記初次ロック溝６０の底壁の中にはベルトチャンバ３０が設置され、前記ベルトチャンバ３０の中にはアンロック装置４００が設置され、前記ベルトチャンバ３０の頂壁の中には正方向チャンバ５７が設置され、前記ベルトチャンバ３０の底壁の中には逆方向チャンバ５３が設置され、前記逆方向チャンバ５３の中には動力装置５００が設置され、前記動力装置５００は前記逆方向チャンバ５３の中に設置されたロックシリンダー２４を含み、前記ロックシリンダー２４の外壁には前記逆方向チャンバ５３の中に位置している下ギヤ２５が設置され、前記ロックシリンダー２４の外壁には前記正方向チャンバ５７の中に位置している上ギヤ２３が設置され、前記動力装置５００は前記アンロック装置４００により前記二次ロック装置２００と前記一次ロック装置１００とを次々とアンロックでき、更に当該錠前をアンロックできる。
【００１３】
有益的には、前記一次ロック装置１００は前記初次ロック溝６０の中にスライドできるように設置されたロックブロック１７を含み、前記ロックブロック１７と前記初次ロック溝６０の左壁との間には第二ばね６１が設置され、前記ロックブロック１７の中には連通孔１８が設置され、前記二次ロック装置２００は前記二次ロック溝２２の中にスライドできるように設置されたロックロッド１９を含み、前記ロックロッド１９が前記連通孔１８と連結でき、前記ロックロッド１９と前記二次ロック溝２２の底壁との間には第三ばね２１が設置され、前記一次ロック装置１００が前記施錠ヘッド１１をロックでき、前記二次ロック装置２００が前記一次ロック装置１００をロックでき、ロックの安全性を保証する。
【００１４】
有益的には、前記リミット装置３００は前記リミットチャンバ３９の中に設置された前ギヤ４１を含み、主軸４２の後端には前記ロックラック１２と噛み合っている後ギヤ４０が設置され、前記主軸４２の前端には前ギヤ４１が設置され、前記リミットチャンバ３９の中には伝動軸４５が設置され、前記伝動軸４５の後端には前記前ギヤ４１と噛み合っている従動ギヤ４３が設置され、前記伝動軸４５の前端には左プーリ４４が設置され、前記リミットチャンバ３９の中には従動軸４９が設置され、前記従動軸４９の前端には右プーリ４８が設置され、前記右プーリ４８と前記左プーリ４４との間には第一ベルト４６が伝動できるように設置され、前記従動軸４９の後端にはセクタギヤ４７が設置され、前記リミットチャンバ３９の中には前記ロックロッド１９と引っ掛かるように連結されることができる引っ掛かりブロック２０がスライドできるように設置され、前記引っ掛かりブロック２０の頂壁には前記セクタギヤ４７と噛み合うことができるスライドラック５０が設置され、前記引っ掛かりブロック２０と前記リミットチャンバ３９の左壁との間には第四ばね３８が設置され、前記リミット装置３００は当該ロックがアンロック状態にある時の前記ロックロッド１９の位置を固定できる。
【００１５】
有益的には、前記アンロック装置４００は前記ベルトチャンバ３０の中に設置された正方向軸５６を含み、前記正方向軸５６の頂端には前記正方向チャンバ５７の中に位置しており、且つ前記上ギヤ２３と噛み合っている正片方向ギヤ５８が設置され、前記正方向軸５６の底端には主動プーリ５５が設置され、前記ベルトチャンバ３０の頂壁の中には上チャンバ５１が設置され、前記ベルトチャンバ３０の底壁の中には下チャンバ５２が設置され、前記ベルトチャンバ３０の中には上軸３５が設置され、前記上軸３５の底端には従動プーリ３４が設置され、前記従動プーリ３４と前記主動プーリ５５との間には第二ベルト５４が伝動できるように設置され、前記上軸３５の頂端には前記上チャンバ５１の中に位置している上リール３６が設置され、前記上リール３６と前記ロックロッド１９との間は第一縄３７により連結され、前記ベルトチャンバ３０の中には逆方向軸２７が設置され、前記逆方向軸２７の底端には前記逆方向チャンバ５３の中に位置しており、且つ前記下ギヤ２５と噛み合っている逆片方向ギヤ２６が設置され、前記逆方向軸２７の頂端には正プーリ２８が設置され、前記ベルトチャンバ３０の中には下軸３２が設置され、前記下軸３２の頂端には副プーリ３３が設置され、前記副プーリ３３と前記正プーリ２８との間には第三ベルト２９が伝動できるように設置され、前記下軸３２の底端には前記下チャンバ５２の中に位置している下リール３１が設置され、前記下リール３１と前記ロックブロック１７との間は第二縄６２により連結され、前記アンロック装置４００は前記二次ロック装置２００と前記一次ロック装置１００とを次々とアンロックでき、当該錠前をアンロックできる。
【００１６】
錠前をロックする時、使用者は施錠ヘッド１１を押して下方へスライドさせ、更にロックラック１２と、後ギヤ４０と、主軸４２と、前ギヤ４１と、従動ギヤ４３と、伝動軸４５と、左プーリ４４と、右プーリ４８と、従動軸４９とよりセクタギヤ４７を連動させて回転させ、施錠ヘッド１１とロックブロック１７とが引っ掛かる時、セクタギヤ４７がスライドラック５０と噛み合い、セクタギヤ４７はスライドラック５０により引っ掛かりブロック２０を連動させて左方へスライドさせ、更に引っ掛かりブロック２０がロックロッド１９との接触から離脱し、ロックロッド１９が上方へスライドし、且つ連通孔１８を通してロックブロック１７と連結し、これにより当該錠前をロックする。
【００１７】
錠前をアンロックする時、使用者は鍵をロックシリンダー２４の中に挿して且つ正方向へ回転させ、更に上ギヤ２３と、正片方向ギヤ５８と、正方向軸５６と、主動プーリ５５と、従動プーリ３４と、上軸３５と、上リール３６と、第一縄３７とによりロックロッド１９を連動させて下方へスライドさせ、更にロックロッド１９が引っ掛かりブロック２０と引っ掛かり、ロックシリンダー２４が正方向へ九十度回転してから逆方向へ回転し始め、更に下ギヤ２５と、逆片方向ギヤ２６と、逆方向軸２７と、正プーリ２８と、副プーリ３３と、下軸３２と、下リール３１と、第二縄６２とによりロックブロック１７を連動させて左方へスライドさせ、ロックシリンダー２４が逆方向へ九十度回転した後、ロックブロック１７が施錠ヘッド１１との接触から完全に離脱し、施錠ヘッド１１が第一ばね１５の弾性エネルギーの作用のもとで上方へスライドし、当該錠前をアンロックする。
【００１８】
本発明の有益効果は：本発明は構造が簡単で、操作が便利で、メンテナンスが便利であり、当該ロックは一次ロック装置と二次ロック装置を有し、複合型の二重のロックを行うことができ、しかもアンロック方式が比較的に複雑であり、安全性が比較的に高く、そのため当該設備は高い使用価値と普及価値を有する。  
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。